(57)【要約】【課題】  工場などに設置されている電動機等の絶縁抵抗測定は、電動機が設置されている近傍にあるコントロールセンターまで担当者が赴いて実施している為、多数ある電動機等の絶縁抵抗測定に多大な労力を要している。絶縁抵抗測定は電動機巻線を含む電動機ケーブル被覆の絶縁性を評価するもので、必ずケーブルの無被覆箇所での測定が必要であり、唯一この無被覆箇所が現地の電動機制御箱内にある電動機接続端子に存在するからである。【解決手段】  電動機側ケーブルに繋がる新たな接点と外部取り出し端子のある絶縁抵抗測定接点・端子を持つ特徴の接触器の提供で、電動機絶縁抵抗測定の遠隔化、自動化を可能とさせる。【選択図】図５
2010114053.tif 000002
【特許請求の範囲】
【請求項１】
接触器等に設置されている電動機側ケーブルの接続端子に配線等で繋がる接点と、この接点に繋がる外部取り出し端子のある絶縁抵抗測定用接点・端子を持つ特徴の接触器。この場合、接点とは固定接点、可動接点、主接点、補助接点、主接続子、補助接続子等を言う。また接触器等とはスタータ、開閉器等をいい、電動機側ケーブルとは負荷側ケーブルを言う。
【発明の詳細な説明】
【技術分野】
【０００１】  電動機等の運転、停止を制御する接触器等に関するもの。
【背景技術】
【０００２】  一般的に使用されている電磁接触器を例にとり説明する。図１のように工場等では多数の電動機１３が中央制御室のＣＰＵプログラムや制御員の意思による遠隔監視・制御装置２４の指令によって、運転したり、予め設定された時間がきたら停止するなど様々な条件で運転、停止を繰り返し製品製造のために稼動している。これら電動機の運転、停止を直接制御しているのが電磁接触器４で、中央制御室からの信号を受けた通信装置２３によってスイッチ３が動作し、さらにこの電磁接触器４が動力電源を閉路したり開路したりして電動機の運転、停止をコントロールしている。図２は電動機制御箱の内部を図示したものでこの電磁接触器４は電動機制御箱１に格納されていて、この中には他に開閉器２、電磁接触器４をコントロールするスイッチ３、電源側ケーブル１５、接続端子１２、等からなりこの中で電源側ケーブル１４に直接繋がって電動機１３をコントロールしている可動接点７を主接続子９と呼び、その他補助的接点を補助接続子１０と呼んで区別している。図２のスイッチ３はＯＦＦとなっているため電磁接触器４は開路し、電動機１３は停止している状態を示している。これら機器を内臓した１ユニットとして１５〜２０ユニットの電動機制御箱をまとめて一箇所に集合させているのが図１のコントロールセンター２２と呼ばれるもので、このコントロールセンター２２は電動機設置場所の近傍に置かれている。図３はスイッチ３がＯＮ状態にあり電磁接触器４内にあるコイル５に流れる電流により電磁力が発生。この吸引力により可動鉄心６が矢印方向に働き結果して主接続子９が動作、接触。電源側ケーブル１５と電動機側ケーブル１４と接続させ電動機１３が運転を始める。【０００３】  一方、工場等の電動機は家庭用電源より数倍高い電圧の交流電源を使用しているため、ケーブルや電動機巻線に被覆している絶縁物が正常な絶縁性能を維持していることが大切で、これを確認するものが絶縁抵抗測定である。開閉器や、電磁接触器にサーマルリレーを組み込んだ電磁開閉器などは、運転中の電動機などに過大な電流が流れるとこの電流により発する熱によって、安全装置であるサーマルリレーが動作し運転のため閉路している動力電源を開路、遮断する機能を有している。このため運転中の電動機が意図せず急に停止した場合、電動機もしくはこれに繋がる電動機ケーブルの絶縁性能が低下し安全装置が動作して停止したのではないか、の調査を行う。
【発明の開示】
【発明が解決しようとする課題】
【０００４】  図４を基に電動機の対地間絶縁測定の手順を述べる。まず携帯式絶縁抵抗測定器１６をコントロールセンターまで携行する。電動機制御箱１にある開閉器２を開放し電磁接触器４の上流側で電源側ケーブル１５の動力源を絶ち無電圧にする。そして電動機制御箱１の扉を開き内部の電磁接触器４が開路していることを目視し、電圧がかかっていないことを確かめる。携帯式絶縁抵抗測定器の測定端子１７の一方を大地に繋がる部分に、もう片方の測定端子１７を接続端子１２に当てて対地間の絶縁抵抗値を計測する。測定値を読み取った上で中央制御室にて監視業務にあたる担当者に報告し、数値によってはこれからの電動機の運転禁止などについて検討することになる。図４の測定端子１７からの破線は絶縁測定器端子を当てた時の正常な電流の流れを示しているもので、対地間は絶縁されている為流れる電流は当然微小で絶縁性は良好と判定されるが、例えばバツ印の電動機ケーブル部等で被覆が損傷している部分があったりするとこの部分からの電流流出が大となり絶縁性は不良と判定される。このように電動機の絶縁抵抗測定では、担当者が携帯式絶縁抵抗測定器を現場のコントロールセンターまで携行し、電動機接続端子にて一連の測定操作を実施している。その最大の理由が、電動機側ケーブルの無被覆箇所が唯一この電動機制御箱内の電動機接続端子部でしかないため、わざわざ現場に赴いて計測を行っている最大の理由である。
【課題を解決するための手段】
【０００５】  本発明は電動機絶縁抵抗測定に際し、これまでのような現場コントロールセンターで開閉器を開とし、電磁接触器以降の電動機ケーブルの無電圧化をする行為と、電動機接続端子に相当する無被覆部の電動機ケーブル情報を提供できる絶縁抵抗測定用接点を持った電磁接触器の開発である。この電磁接触器の利用により電動機絶縁抵抗測定の遠隔化を図るものである。【０００６】  図５に本発明の電磁接触器を図示する。これまでの電磁接触器４に新規固定接点１９と外部取り出し端子２０を新たに設けるが、この新しい新規固定接点１９は電磁接触器４が開路した時に主接続子９が接するように設置する。新規配線１８により、電動機側ケーブル１４に繋がる接続端子１２と新規固定接点１９を接続する。また新規配線１８により新規固定接点１９と外部取り出し端子２０とを接続する。この接点を有する電磁接触器４を利用することで電磁接触器４が閉路して電動機に電圧がかかると新規固定接点１９は断となり外部取り出し端子２０は無電圧状態となる。電磁接触器４が開路して電動機１３が無電圧状態となると新規固定接点１９と主接続子９が接して電動機ケーブル１４の情報を外部取り出し端子２０に導くものである。これら情報は電動機１３が停止したときの電動機ケーブル端子１２の無被覆箇所に相当するもので現地での開閉器２の開操作による無電圧状態の創出に該当する。さらにこの電磁接触器４が開路したときのみ電動機側ケーブル１４と連結させる構造となるため、電動機１３が運転中には荷電された電動機側ケーブル情報を外部に導入することはなく、下記０００７に記載する特許文献のような危険性は生じない。【０００７】
【特許文献１】  特開平６−４３１９５号  （段落０００５〜０００８、図１、図３、図４）  この提案の問題点は電源検出装置のリレーに繋がるケーブルが常時三相交流電動機の接続端子と繋がっていることである。電動機絶縁抵抗測定の遠隔自動化実現のため当然これに繋がるリレーの接点情報が必要で、こういう形にならざるを得ないが電動機が運転中は常時この電源電圧が荷電されていることになる。図３を見ればいくつかの電動機に繋がるケーブルコネクタが装備されているが、電動機が運転中に現地担当者が間違ってこのコネクタに接触して感電する恐れがある。また高電圧の電動機負荷に繋がるケーブルには余分な回路は付加せず絶縁性の向上に努めるべきである。
【発明の効果】
【０００８】  工場では多数の電動機が昼夜を違わず運転、停止を繰り返し稼動しているが、電動機に過大な負荷が掛かると大きな電流が流れ、開閉器などに装備の安全装置が動作してこの電動機を停止させる。この時電動機、電動機ケーブルの絶縁性能が低下して安全装置が動作していないかの絶縁抵抗測定が行われる。現在の絶縁抵抗測定は電動機が設置されている近傍にあるコントロールセンターまで赴いて測定を行っているが、大規模工場では一つの制御室からいくつもの工場棟に分散、設置された電動機等を一括監視している為、現場との距離も相当で電動機等が意図せず停止した場合は原因究明に時間と労力を要する。又、法で定められた定期絶縁抵抗測定、不定期で実施している自主点検での絶縁抵抗測定などにも多大な労力と、時間を費やしているのが現状である。本発明はこの絶縁抵抗測定を中央制御室から遠隔で実施、結果を応答させ省力化と迅速さを実現させるものである。
【発明を実施するための最良の形態】
【０００９】  現在の工場等ではほとんどが各所に設置されたコントロールセンターに通信装置を備え、この装置と中央制御室の制御器とが通信回線を通じ送受信を行い電動機の起動、停止を行っている。この装置を利用し各所に散らばっているコントロールセンターに専用の固定式絶縁抵抗測定器を配備し、通信装置と連携させる。電動機が不意に停止したときなどはこの通信装置に固定式絶縁抵抗測定器に指令を出し、その結果をまた中央制御室で受信させることができる。
【実施例】
【００１０】  図６はこの電磁接触器を利用した遠隔による絶縁抵抗測定方法を示したものである。まず遠隔監視・制御装置２４からの指令でＯＦＦとなっているスイッチ３の動作ロックを掛け固定式絶縁抵抗測定器２５が絶縁抵抗測定中に運転指令が入らないようにブロックする。次に通信装置２３を通じて固定式絶縁抵抗測定器２５に指令を与えて絶縁抵抗測定用接点２６を接させ絶縁抵抗測定を行う。測定が終わればその測定結果の数値を通信装置２３を通じて遠隔監視・制御装置２４に送信する。中央制御室の担当者の数値評価によって問題なければ中央制御室でスイッチ３の動作ロックを解除する。
【産業上の利用可能性】
【００１１】  接触器を使用している電動機等全てに利用できる。
【図面の簡単な説明】
【００１２】
【図１】  現状工場等の中央制御室から電動機までの概略を示す。
【図２】  電動機制御箱内の電磁接触器がＯＦＦした状態を示す。
【図３】  電動機制御箱内の電磁接触器がＯＮした状態を示す。
【図４】  電動機、電動機ケーブルの絶縁抵抗測定方法を示す。
【図５】  本発明の電磁接触器示す。
【図６】  本発明の実施例を示す。
【符号の説明】
【００１３】１．電動機制御箱
４．電磁接触器
９．主接続子
１０．補助接続子
１２．接続端子
１８．新規配線
１９．新規固定接点（絶縁抵抗測定接点）
２０．外部取り出し端子（絶縁抵抗測定端子）
２３．通信装置
２５．固定式絶縁抵抗測定器
２６．絶縁抵抗測定用接点
【図１】
2010114053.tif 000003
【図２】
2010114053.tif 000004
【図３】
2010114053.tif 000005
【図４】
2010114053.tif 000006
【図５】
2010114053.tif 000007
【図６】
2010114053.tif 000008